(57)【要約】【課題】複数個の面実装用蓄電セルを直列に接続する場合に大型化したり、導電不良を引き起こすという課題を解決し、小型化と信頼性の向上を図った面実装用蓄電セルを提供することを目的とする。【解決手段】少なくとも２個以上の有極性蓄電セルをその間に接続部材を介して直列に積層接合し、かつ積層された状態の有極性蓄電セルの両端となる陽極部ならびに陰極部に夫々一対の外部端子の一端を接続すると共に、この一対の外部端子の他端を同一面上に配設した構成としたことにより、簡単な構成で小型化と接合の信頼性を向上させ、かつプリント基板上への高密度面実装を行うことが可能な面実装用蓄電セルを実現することができる。【選択図】  図１
2004221181.tif 000002
【特許請求の範囲】
【請求項１】
少なくとも２個以上の有極性蓄電セルをその間に接続部材を介して直列に積層接合し、かつ積層された状態の有極性蓄電セルの両端となる陽極部ならびに陰極部に夫々一対の外部端子の一端を接続すると共に、この一対の外部端子の他端を同一面上に配設した面実装用蓄電セル。
【請求項２】
少なくとも２個以上の有極性蓄電セルを接合する接続部材が断面凹型に形成され、この接続部材の外底面に一方の有極性蓄電セルの陰極部を接合すると共に、上記接続部材の少なくとも内周面に隣接する有極性蓄電セルの陽極部が接合された請求項１に記載の面実装用蓄電セル。
【請求項３】
積層された状態の有極性蓄電セルの両端となる陽極部ならびに陰極部に夫々接続される一対の外部端子のいずれか一方は略直線状に形成され、他方はコ字状に折り曲げられたものである請求項１に記載の面実装用蓄電セル。
【請求項４】
コ字状に折り曲げられた外部端子の有極性蓄電セルの外周面と接する部分に切り欠きを設けた請求項３に記載の面実装用蓄電セル。
【発明の詳細な説明】
【０００１】
【発明の属する技術分野】
本発明は電気二重層コンデンサや電池等の有極性蓄電セルを複数個接続して一体化することにより構成される面実装用蓄電セルに関するものである。
【０００２】
【従来の技術】
この種の面実装用蓄電セルとしてはコイン形の電気二重層コンデンサやボタン電池等の有極性蓄電セルを用いたものが主流であり、コイン形の電気二重層コンデンサを用いたものを一例とした従来の面実装用蓄電セルについて、以下に図面を用いて説明する。
【０００３】
図３は有極性蓄電セルとしての電気二重層コンデンサの構成を示した一部切り欠き斜視図であり、図３において１１ａと１１ｂは一対の分極性電極を示し、この一対の分極性電極１１ａ，１１ｂは夫々弁作用金属からなる集電体金属１０ａ，１０ｂ上に活性炭粒子をプレス成型したり、適当なバインダーと練合したものを塗布することによって形成されたものである。１２は上記分極性電極１１ａ，１１ｂ間に介在されたセパレータ、１３は陽極部となるステンレス製の金属ケース、１４は陰極部となる金属蓋、１５は上記金属ケース１３の開口周縁部に配設された密封用のガスケットである。
【０００４】
また、このように組み立てられて金属ケース１３ならびに金属蓋１４により密封された内部の分極性電極１１ａ，１１ｂ及びセパレータ１２には図示しない非水性の電解液が充填され、これにより、分極性電極１１ａ，１１ｂと図示しない電解液との界面で形成される電気二重層を利用した電気二重層コンデンサが構成されているものである。
【０００５】
図４は上記従来の電気二重層コンデンサを用いた面実装用蓄電セルの構成を示した正面図であり、図４において１６は電気二重層コンデンサ、１７と１８はこの電気二重層コンデンサ１６の陽極部と陰極部に夫々一端が接合された陽極端子と陰極端子であり、これにより面実装用蓄電セルが構成され、上記陽極端子１７と陰極端子１８の他端がプリント基板１９に半田付けされているものである。
【０００６】
図５は同じく従来の電気二重層コンデンサを用いた面実装用蓄電セルの他の構成を示した正面図であり、図５において２０は電気二重層コンデンサ、２１と２２はこの電気二重層コンデンサ２０の陽極部と陰極部に夫々一端が接合された陽極端子と陰極端子であり、これにより面実装用蓄電セルが構成され、上記陽極端子２１と陰極端子２２の他端がプリント基板２３に半田付けされているものであり、上記図４で説明した面実装用蓄電セルとの違いは、陽極端子２１と陰極端子２２を同一方向から引き出すようにして小型化を図り、実装面積を小さくするようにしたものである。
【０００７】
なお、この出願の発明に関連する先行技術文献情報としては、例えば、特許文献１が知られている。
【０００８】
【特許文献１】
特開昭６３−２４４８３８号公報
【０００９】
【発明が解決しようとする課題】
しかしながら上記従来の面実装用蓄電セルでは、複数個の面実装用蓄電セルを直列に接続する場合、円筒形または角筒形のケース等に複数個の面実装用蓄電セルを積み重ねて挿入し、これらをバネ板等の導電性弾性部材を用いて圧接させるような構成のために大型化したり、バネの付勢力が不足した場合には導電不良を引き起こすという問題があった。
【００１０】
また、このような問題を解決するためにバネ板等の導電性弾性部材に代えて複数個の面実装用蓄電セルを積み重ねた状態でケース等にかしめるという方法も考えられるが、このような方法ではかしめ圧力が高くなると面実装用蓄電セルに過大な応力が加わって電解液が漏れるという恐れがあり、信頼性面から見ると導入することは困難なものであった。
【００１１】
本発明はこのような従来の課題を解決し、小型化と接合の信頼性向上を実現した面実装用蓄電セルを提供することを目的とするものである。
【００１２】
【課題を解決するための手段】
上記課題を解決するために本発明の請求項１に記載の発明は、少なくとも２個以上の有極性蓄電セルをその間に接続部材を介して直列に積層接合し、かつ積層された状態の有極性蓄電セルの両端となる陽極部ならびに陰極部に夫々一対の外部端子の一端を接続すると共に、この一対の外部端子の他端を同一面上に配設した構成のものであり、これにより、簡単な構成で小型化と接合の信頼性を向上させ、かつプリント基板上への高密度面実装を行うことが可能な面実装用蓄電セルを実現することができるという作用効果を有する。
【００１３】
本発明の請求項２に記載の発明は、少なくとも２個以上の有極性蓄電セルを接合する接続部材が断面凹型に形成され、この接続部材の外底面に一方の有極性蓄電セルの陰極部を接合すると共に、上記接続部材の少なくとも内周面に隣接する有極性蓄電セルの陽極部が接合された構成のものであり、これにより、簡単な構成で小型化と接合の信頼性を向上させることができるという作用効果を有する。
【００１４】
本発明の請求項３に記載の発明は、積層された状態の有極性蓄電セルの両端となる陽極部ならびに陰極部に夫々接続される一対の外部端子のいずれか一方は略直線状に形成され、他方はコ字状に折り曲げられた構成のものであり、これにより、簡単な構成で小型化を図り、最小面積で高密度面実装を行うことが可能になるという作用効果を有する。
【００１５】
本発明の請求項４に記載の発明は、コ字状に折り曲げられた外部端子の有極性蓄電セルの外周面と接する部分に切り欠きを設けた構成のものであり、これにより、プリント基板に実装する際に半田フィレットを形成させることができるようになって実装状態の信頼性を向上させることができ、また、実装後の検査で容易に半田フィレットを確認することができるようになるという作用効果を有する。
【００１６】
【発明の実施の形態】
（実施の形態１）
以下、一実施の形態を用いて、本発明の請求項１〜４に記載の発明について説明する。
【００１７】
図１（ａ）〜（ｃ）は本発明の一実施の形態による面実装用蓄電セルの構成を示した斜視図、正面図、底面図、図２は同分解図であり、同図において１ａ，１ｂはコイン形の電気二重層コンデンサを示し、この電気二重層コンデンサ１ａ，１ｂは従来の技術の項で図３を用いて説明したものと同様のものである。
【００１８】
２は断面凹型に形成された導電性材料からなる接続部材、３はコ字状に折り曲げられた陽極外部端子、３ａはこの陽極外部端子３に設けられた切り欠き部、４は略直線状に形成された陰極外部端子である。
【００１９】
このように構成された本実施の形態による面実装用蓄電セルの製造方法について説明すると、まず別途組み立てを終えた電気二重層コンデンサ１ａ，１ｂを準備し、接続部材２を用いて電気二重層コンデンサ１ａ，１ｂどうしを積層接合する。この際、電気二重層コンデンサ１ａの上蓋上面に接続部材２の外底面を密着させ、レーザー溶接または抵抗溶接により溶接を行って接合した後、電気二重層コンデンサ１ｂを接続部材２の内部に挿入して金属ケースの外周面を接続部材の内周面に接触させ、この状態で接続部材２の外周面よりレーザー溶接または抵抗溶接により溶接を行うことにより、接続部材２を介して電気二重層コンデンサ１ａ，１ｂどうしを積層接合するものである。
【００２０】
続いて、コ字状に折り曲げられた陽極外部端子３と略直線状に形成された陰極外部端子４を夫々電気二重層コンデンサ１ａの陽極部と電気二重層コンデンサ１ｂの陰極部にレーザー溶接または抵抗溶接により溶接を行うことによって本実施の形態による面実装用蓄電セルを製造するようにしたものである。
【００２１】
なお、上記陽極外部端子３と陰極外部端子４の半田付け部は両者が略同じ幅になるように広幅に形成することによって本実施の形態による面実装用蓄電セルを方形に近い形状にし、かつ錫めっきまたは錫合金めっきを施すことにより、半田フィレット形成時における製品の引張り移動を最小限に抑え、かつ半田付け後の画像認識における実装状態の検査を精度良く行うことが可能になるものである。
【００２２】
また、陽極外部端子３をコ字状に折り曲げて面実装用蓄電セルの下面に配設されるようにしたことにより、実装面積の最小化を図ることができ、さらにこの陽極外部端子３の電気二重層コンデンサ１ａ，１ｂの外周面と接する部分に切り欠きを設けることにより、電気二重層コンデンサ１ａ，１ｂに陽極外部端子３を密着させて実装面積をさらに低減させることができると共に、半田フィレットを確実に行うことができるようになるものである。
【００２３】
このように構成された本実施の形態による面実装用蓄電セルは、簡単な構成で小型化と接合の信頼性向上を図り、かつプリント基板上への高密度面実装を行うことができるようになるものである。
【００２４】
【発明の効果】
以上のように本発明による面実装用蓄電セルは、少なくとも２個以上の有極性蓄電セルをその間に接続部材を介して直列に積層接合し、かつ積層された状態の有極性蓄電セルの両端となる陽極部ならびに陰極部に夫々一対の外部端子の一端を接続すると共に、この一対の外部端子の他端を同一面上に配設した構成とすることにより、専用のケース等を用いることなく、簡単な構成で小型化と接合の信頼性を向上させ、かつプリント基板上への高密度面実装を行うことが可能な面実装用蓄電セルを実現することができるものである。
【図面の簡単な説明】
【図１】（ａ）本発明の一実施の形態による面実装用蓄電セルの構成を示した斜視図
（ｂ）同正面図
（ｃ）同底面図
【図２】同分解図
【図３】電気二重層コンデンサの構成を示した一部切り欠き斜視図
【図４】従来の面実装用蓄電セルの構成を示した正面図
【図５】従来の面実装用蓄電セルの他の構成を示した正面図
【符号の説明】
１ａ，１ｂ  電気二重層コンデンサ
２  接続部材
３  陽極外部端子
３ａ  切り欠き部
４  陰極外部端子
【図１】
2004221181.tif 000003
【図２】
2004221181.tif 000004
【図３】
2004221181.tif 000005
【図４】
2004221181.tif 000006
【図５】
2004221181.tif 000007